(57)【要約】【課題】花柄や花軸、または茎を、物理的に補強することにより、花の項垂れを防止し、もって、花への栄養補給が阻害されるのを防止するとともに、花の商品価値の低下を遅らせることができるようにした有花植物、およびその強化方法を提供する。【解決手段】 花１の付根部である花柄２に、補強材３を設ける。この補強材３は、花柄２の外周面に、硬化性樹脂を吹き付けまたは塗着した後、硬化させることにより形成する。【選択図】図１
2007037431.tif 000002
【特許請求の範囲】
【請求項１】
花の付根部である花柄、花軸、または茎に、補強材を設けたことを特徴とする有花植物。
【請求項２】
補強材を、花柄、花軸、または茎を囲繞する合成樹脂材料としたことを特徴とする請求項１記載の有花植物。
【請求項３】
補強材を、花柄、花軸、または茎の外周に巻着した補強用テープとしたことを特徴とする請求項１記載の有花植物。
【請求項４】
補強材を、透明体としたことを特徴とする請求項１〜３のいずれかに記載の有花植物。
【請求項５】
補強材を、花柄、花軸、または茎とほぼ同色に着色したことを特徴とする請求項１〜３のいずれかに記載の有花植物。
【請求項６】
補強材を、花柄、花軸、または茎に、その長手方向とほぼ同方向を向くように刺し通した針としたことを特徴とする請求項１記載の有花植物。
【請求項７】
花の付根部である花柄、花軸、または茎の外周面に、硬化性樹脂を吹き付けまたは塗着した後、硬化させることにより、合成樹脂製の補強材を形成することを特徴とする有花植物の強化方法。
【請求項８】
花の付根部である花柄、花軸、または茎の外周面に、補強用テープを巻着することを特徴とする有花植物の強化方法。
【請求項９】
花の付根部である花柄、花軸、または茎の内部に、その長手方向とほぼ同方向を向くように、針を刺し通すことを特徴とする有花植物の強化方法。
【発明の詳細な説明】
【技術分野】
【０００１】
本発明は、花を咲かせる有花植物、およびその強化方法に関する。
【背景技術】
【０００２】
切り花を長持ちさせる方法として、従来は、花器の給水に延命用の薬剤や薬液を注加することが知られている(例えば特許文献１および２参照)。
【特許文献１】特開２００４−１６８６９５号公報
【特許文献２】特開平１１−１５８００３号公報
【発明の開示】
【発明が解決しようとする課題】
【０００３】
しかし、薬剤や薬液による方法は、短期的には効果があるが、長期的には限界がある。
【０００４】
切り花が萎れる現象を観察すると、有花植物の種類によって若干異なるものの、まず、花の付根部である花柄(花柄を有しない有花植物の場合は、花軸、または茎)の緊張力が低下して、下方に撓むことにより、花が下方を向き、次いで花弁が萎れたり、葉が枯れたりすることが多い。
【０００５】
花柄が下方に撓むことにより、導管が狭められ、花への栄養補給が阻害され、花の萎れが助長されるものと思われる。
一般的には、花が下方を向いたとき、すなわち、項垂れたときに、花の商品価値は著しく低下し、廃棄されているのが現状である。
【０００６】
本発明は、従来の技術が有する上記のような問題点に鑑み、花柄や花軸、または茎を、物理的に補強することにより、花の項垂れを防止し、もって、花への栄養補給が阻害されるのを防止するとともに、花の商品価値の低下を遅らせることができるようにした有花植物、およびその強化方法を提供することを目的としている。
【課題を解決するための手段】
【０００７】
本発明によると、上記課題は、次のようにして解決される。
(１)  有花植物の花の付根部である花柄、花軸、または茎に、補強材を設ける。
【０００８】
(２)  上記(１)項において、補強材を、花柄、花軸、または茎を囲繞する合成樹脂材料とする。
【０００９】
(３)  上記(１)項において、補強材を、花柄、花軸、または茎の外周に巻着した補強用テープとする。
【００１０】
(４)  上記(１)〜(３)項のいずれかにおいて、補強材を、透明体とする。
【００１１】
(５)  上記(１)〜(３)項のいずれかにおいて、補強材を、花柄、花軸、または茎とほぼ同色に着色する。
【００１２】
(６)  上記(１)項において、補強材を、花柄、花軸、または茎に、その長手方向とほぼ同方向を向くように刺し通した針とする。
【００１３】
(７)  有花植物の強化方法において、花の付根部である花柄、花軸、または茎の外周面に、硬化性合成樹脂を吹き付けまたは塗着した後、硬化させることにより、合成樹脂製の補強材を形成する
【００１４】
(８)  有花植物の強化方法において、花の付根部である花柄、花軸、または茎の外周面に、補強用テープを巻着する。
【００１５】
(９)  有花植物の強化方法において、花の付根部である花柄、花軸、または茎の内部に、その長手方向とほぼ同方向を向くように、針を刺し通す。
【発明の効果】
【００１６】
本発明によると、次のような効果を奏することができる。
請求項１記載の発明によると、花の付根部である花柄、花軸、または茎に、補強材を設けてあるので、花柄、花軸、または茎は、活力が低下して、緊張力が弱まっても、下方に撓むことはなく、したがって、導管が狭められたり、閉塞されたりすることなく、栄養素を花に継続して供給することができる。
したがって、花の寿命を延ばすことができるとともに、花が項垂れて、商品価値が低下するのを防止することができる。
【００１７】
請求項２記載の発明によると、補強材を、花柄、花軸、または茎を囲繞する合成樹脂材料としてあるので、補強材を、吹き付けや塗着等により、容易に花柄等の外周に装着することができるとともに、適度の弾性と靭性をもたせて、花柄等を防護することができる。
【００１８】
請求項３記載の発明によると、補強材を、花柄、花軸、または茎の外周に巻着した補強用テープとしてあるので、補強材を、花柄等の外周に巻き付けるだけで、容易に装着することができる。
【００１９】
請求項４記載の発明によると、補強材を、透明体としてあるので、補強材を目立たなくすることができ、美観を損なうことがない。
【００２０】
請求項５記載の発明によると、補強材を、花柄、花軸、または茎とほぼ同色に着色してあるので、補強材を目立たなくすることができ、美観を損なうことがない。
【００２１】
請求項６記載の発明によると、補強材を、花柄、花軸、または茎に、その長手方向とほぼ同方向を向くように刺し通した針としてあるので、針が外部に露呈することがなく、体裁がよい。
【００２２】
請求項７記載の発明によると、花の付根部である花柄、花軸、または茎の外周面に、硬化性樹脂を吹き付けまたは塗着した後、硬化させることにより、合成樹脂製の補強材を形成するので、花柄等がどのような複雑な形状をしていても、補強材を、その形状に倣うように、容易に、かつ迅速に装着することができる。
【００２３】
請求項８記載の発明によると、花の付根部である花柄、花軸、または茎の外周面に、補強用テープを巻着するだけでよいので、補強材の装着作業が容易である。
【００２４】
請求項９記載の発明によると、花の付根部である花柄、花軸、または茎の内部に、その長手方向とほぼ同方向を向くように、針を刺し通すだけで、補強材を、容易に、かつ迅速に装着することができる。
【発明を実施するための最良の形態】
【００２５】
以下、本発明の実施形態を、図面を参照して説明する。
図１は、本発明を、花柄のあるバラに適用した第１の実施形態を示す斜視図である。
【００２６】
この例では、花(１)の付根部である花柄(２)の外周面を、合成樹脂材料製の補強材(３)により囲繞してある。
【００２７】
この補強材(３)を花柄(２)の外周面に装着するには、紫外線硬化性の透明の合成樹脂材料を、花柄(２)の外周面に吹き付けるか、または塗着した後、紫外線を照射して、硬化させるのが好ましい。
または、２液混合型の接着剤を混練したものや、瞬間接着剤を塗着してもよい。
さらに、スプレー式の塗料や接着剤を、花柄(２)の外周面に吹き付けて実施することもできる。
【００２８】
硬化させた補強材(３)は、透明とするのが好ましい。または、花柄(２)とほぼ同色の顔料を補強材(３)に混練しておくか、または、硬化後に着色してもよい。
【００２９】
第１の実施形態によると、花柄(２)は、活力が低下して、緊張力が弱まっても、下方に撓むことはなく、したがって、導管が狭められたり、閉塞されたりすることなく、栄養素を花に継続して供給することができる。
したがって、花(１)の寿命を延ばすことができるとともに、花(１)が項垂れて商品価値が低下するのを防止することができる。
【００３０】
また、補強材(３)を合成樹脂材料としてあるので、補強材(３)を、吹き付けや塗着等により、容易に花柄(２)の外周に装着することができるとともに、適度の弾性と靭性をもたせて、花柄(２)を防護することができる。
【００３１】
上記のように、補強材(３)を、透明体としたり、花柄(２)とほぼ同色に着色しておくと、補強材(３)の存在を目立たなくすることができ、美観を損なうことがない。
【００３２】
補強材(３)を、花柄(２)の外周面に、硬化性樹脂を吹き付けまたは塗着した後、硬化させて形成すると、花柄(２)がどのような複雑な形状をしていても、補強材(３)を、その形成に倣うように、容易に、かつ迅速に装着することができる。
【００３３】
図２は、本発明を、図１のものと同様のバラに適用した第２の実施形態を示す斜視図である。
この例では、花(１)の付根部である花柄(２)の外周面を、補強用テープ(４)を螺旋状に巻着することにより、補強材(３)を形成してある。
【００３４】
補強用テープ(４)は、透明のセロハンまたはアセテートフィルム製の粘着テープにより形成し、表面はつや消ししておくのが好ましい。
【００３５】
このように、補強材(３)を、花柄(２)の外周に巻着した補強用テープ(４)とすると、補強用テープ(４)を花柄(２)の外周に巻き付けるだけでよいので、補強材(３)の装着作業が容易である。
【００３６】
図３は、本発明を、花柄を有しない頭状花序の一種であるガーベラに適用した第３の実施形態を示す斜視図である。
この例では、花(１)の中心から、花(１)の付根部である花軸(または茎)(５)の上部にかけて、針(６)を刺し通すことにより、補強材(３)を形成してある。
【００３７】
第３の実施形態においては、針(６)が外部に露呈することがないので、体裁がよく、また、針(６)を花軸(５)に刺し通すだけで、補強材(３)を、容易に、かつ迅速に装着することができる。
なお、針(６)は、細い針金や竹ひご等により形成してもよい。
【００３８】
図３に示すように、針(６)の上部を、花(１)の中央に残存させておくと、落花を防止することもできる。
【００３９】
以上、本発明の好ましい実施形態について説明したが、本発明は、特許請求の範囲を逸脱しない範囲内で、上記実施形態に種々の変形や変更を施すことも可能である。
例えば、図１に示す補強材(３)を、弾性を有する合成樹脂材料により形成したストロー状の薄肉の円筒体に、長手方向のスリットを切設し、それを側方に開いて、花柄(２)や花軸(５)に外嵌して実施してもよい。
【図面の簡単な説明】
【００４０】
【図１】本発明の第１の実施形態を示す斜視図である。
【図２】本発明の第２の実施形態を示す斜視図である。
【図３】本発明の第３の実施形態を示す斜視図である。
【符号の説明】
【００４１】
(１)花
(２)花柄
(３)補強材
(４)補強用テープ
(５)花軸
(６)針
【図１】
2007037431.tif 000003
【図２】
2007037431.tif 000004
【図３】
2007037431.tif 000005